(57)【要約】【課題】      ショルダーベルトがフレームに沿って移動しないようにしたフレームを有する背負い具を提供すること。【解決手段】  フレーム２にショルダーベルト７と収納部６を取り付けた背負い具１において、前記ショルダーベルト７は、フレーム２と一体に形成したストッパＳで移動を規制した背負い具で、ストッパＳは、フレーム２を構成するジョイント部５に設け、ショルダーベルト７を挿通可能な枠状に形成し、この枠状のストッパＳにショルダーベルト７の下端側を挿通し、ループ状にして止着している。【選択図】        図１
2005124851.tif 000002
【特許請求の範囲】
【請求項１】
フレームにショルダーベルトと収納部を取り付けた背負い具において、前記ショルダーベルトは、フレームと一体に形成したストッパで移動を規制したことを特徴とする背負い具。
【請求項２】
ストッパは、フレームを構成するジョイント部に設けたことを特徴とする請求項１記載の背負い具。
【請求項３】
ストッパは、ショルダーベルトを挿通可能な枠状に形成したことを特徴とする請求項１または２記載の背負い具。
【発明の詳細な説明】
【技術分野】
【０００１】
本発明は、フレームを有する背負い具の改良に関する。
【背景技術】
【０００２】
従来からものを運搬するためにフレーム付きの背負い具が用いられている。
これらは、野外において、比較的重い荷物を長時間運搬しても疲れず、また荷崩れせずに安定して運搬することができる。
【０００３】
そして、特許文献１には、フレーム間に架設した一対のショルダーベルトを有し、ショルダーベルトは、その端部が横フレームにて折り返され、再びベルトに止められることでループを形成し、ショルダーベルトをこのループを挿通したフレームで保持したショルダーキャリーが開示されている。
【特許文献１】特開平９−２９４６２９号
【発明の開示】
【発明が解決しようとする課題】
【０００４】
しかしながら、特許文献１に開示されたショルダーキャリーのようにショルダーベルトの端部を横フレームに折り返して形成したループで保持するとショルダーベルトがフレームに沿って左右に移動してしまい安定したものの運搬ができなくなり、また、たいへん疲れるという問題があった。
【０００５】
本発明は、斯かる実情に鑑み案出されたもので、ショルダーベルトがフレームに沿って移動しないようにしたフレームを有する背負い具を提供することを目的とする。
【課題を解決するための手段】
【０００６】
本発明の請求項１は、フレームにショルダーベルトと収納部を取り付けた背負い具において、前記ショルダーベルトは、フレームと一体に形成したストッパで移動を規制したことを要旨とするものである。
本発明の請求項２は、ストッパは、フレームを構成するジョイント部に設けたことを要旨とするものである。
本発明の請求項３は、ストッパは、ショルダーベルトを挿通可能な枠状に形成したことを要旨とするものである。
【発明の効果】
【０００７】
請求項１の本発明により、フレームに設けたショルダーベルトの移動が防止され、安定して運搬ができ、ストッパはフレームと一体に形成したので破損しにくい。
請求項２の本発明により、ストッパをフレームを構成するジョイント部に設けたことでフレーム構造を複雑にせず簡単な構造でショルダーベルトの保持ができる。
請求項３の本発明により、ストッパをショルダーベルトが挿通可能な枠状に形成したためショルダーベルトの移動を確実に防止できる。
【発明を実施するための最良の形態】
【０００８】
フレーム２にショルダーベルト７と収納部６を取り付けた背負い具１において、前記ショルダーベルト７は、フレーム２と一体に形成したストッパＳで移動を規制した背負い具で、ストッパＳは、フレーム２を構成するジョイント部５に設け、ショルダーベルト７を挿通可能な枠状に形成している。
【実施例１】
【０００９】
以下、図示の実施例によって本発明を説明すると、図１から図４は第１実施例で、図１は背負い具の全体図、図２はジョイントの拡大図、図３はジョイントの縦断面図（Ａ−Ａ部分断面図）、図４はジョイントの横断面図（Ｂ−Ｂ部分断面図）である。
【００１０】
背負い具１は、フレーム２とこのフレーム２に載置または取り付けられる収納部６を有し、フレーム２に背負い具１の運搬用のショルダーベルト７が設けられている。
【００１１】
フレーム２は、金属や合成樹脂の筒状部材で形成され、背負い具１を背負ったときに背中側に対向する背当てフレーム３と収納部６や載置した荷物の底部を支持する底部フレーム４を有し、フレーム２全体は、背当てフレーム３と底部フレーム４が互いに接合されてく字状に形成される。
【００１２】
背当てフレーム３は左右一対の縦フレーム３ａ、３ａとこの縦フレーム３ａ、３ａを上端で一体に連結する上縁フレーム３ｂと、縦フレーム３ａ、３ａをその長手方向の中央側で連結する支持フレーム（上方支持フレーム）３ｃ、（下方支持フレーム）３ｄを有している。
上縁フレーム３ｂは背負い具１を背負わずに運搬するとき等にハンドルとして使用することができ、縦フレーム３ａ、３ａに向けて変移する屈曲部には握持しやすいようにフレーム２より柔らかい材料からなるグリップ９が設けられている。
【００１３】
支持フレーム３ｃは、支持フレーム３ｄより上方側に設けられ、ショルダーベルト７、７の上端側が支持される。
支持フレーム３ｄは、支持フレーム３ｃより下方に設けられ、ジョイント５を介して背当てフレーム３に取り付けられ、ショルダーベルト７の下端側がジョイント５に設けた枠状部５ｃに取り付けられている。
【００１４】
さらに、フレーム２の底部フレーム４は、その周囲を囲う枠状フレーム４ａとその枠状フレーム４ａ間に架設された底部支持フレーム４ｄと下方に突出する脚４ｃを有し、一端がジョイント５を介して背当てフレーム３と連結されている。
また、底部フレーム４は、上縁フレーム３ｂのグリップ９を握持してキャスターとして引き動かすことができるようにその前方側に一対の車輪８が回動自在に軸支されている。
【００１５】
収納部６は図１にて２点鎖線で示したが、フレーム２に固定されていても良いし、また着脱自在に保持しても良く、内部にものが収納できるものであればよい。
【００１６】
図２から図４に示すように、ジョイント５は、フレーム２の背当てフレーム３の一部を構成しており、縦筒５ａから横方向に横筒５ｂが一体に突出して形成され、縦筒５ａの孔５ａ’の上方に背当てフレーム３の端部が嵌合して固定され、縦筒５ａの孔５ａ’の下方に底部フレーム４の端部が嵌合して固定されている。
横筒５ｂは、対向方向の背当てフレーム３に向けて突設され、その横筒５ｂに形成した孔５ｂ’に背当てフレーム３の下方の支持フレーム（下方支持フレーム）３ｄが嵌合し、固定されている。
【００１７】
ジョイント５は、金属や合成樹脂で形成され、その横筒５ｂは、これと一体に形成したストッパ部Ｓを有している。
ストッパ部Ｓは、ジョイント５の横筒５ｂから突出したコ字形状の枠状部５ｃで、この枠状部と横筒５ｂで囲まれた開口５ｄにショルダーベルト７を挿通し、その先端を折り返してループ７ａを作り再びショルダーベルト７に添設して縫着部７ｂにて止着される。
このようにショルダーベルト７を枠状部５ｃ（ストッパ部Ｓ）に係止すると、ショルダーベルト７は、枠状部５ｃに対しループ７ａが回動可能であるが横筒５ｂまたは横フレーム３ｄの長手方向（左右方向）の移動が規制される。
【００１８】
こうしてフレーム２に取り付けられた一対のショルダーベルト７、７は、その上端側が横方向に設けられた支持フレーム（上方支持フレーム）３ｃにて折り返してループを作り止着し、その下端側は、ジョイント５の横筒５ｂのストッパ部Ｓに係止され、左右方向の移動が規制されている。
【００１９】
一対のショルダーベルト７、７は、その取り付け位置において上端側よりも下端側の方が広い間隔を空けて取り付けられるが、背負い具１を背負ったとき荷重がかかる肩に近い上端側はストッパを有しなくてもショルダーベルト７の止着位置は動きにくい。
一方、その下端側は、荷重がかかる肩に近い上端側を中心に左右に振られるが、ストッパ部Ｓにて左右の移動が規制されているためフレーム２の揺れを防止して背負い具１を安定して背負うことができる。
したがって、ショルダーベルト７の少なくとも下端側がストッパ部Ｓにて移動が規制されていればよい。
【００２０】
ショルダーベルト７はその上端側から下端側に向けて外側に湾曲するように形成しており、背負い具１を背負ったときに肩に合致して背負いやすくなっている。
また、ストッパ部Ｓは、コ字状の枠状部５ｃで形成したが、半円状などの他の形状で形成しても良いし、ショルダーベルト７は、枠状部５ｃと横筒５ｂで囲まれた開口５ｄにシ挿通した後、横筒５ｂ側を取り巻いて横筒５ｂに止着してもよく、この場合でも、ストッパ部Ｓがショルダーベルト７の左右の移動を規制できる。
さらに、枠状部５ｃに代わり、ショルダーベルト７と略同じ幅でジョイント５の横筒５ｂから突出する突部を設けてその突部間の横筒５ｂにショルダーベルト７を止着し、前記突部をストッパ部Ｓとしてショルダーベルト７の左右の移動を規制しても良い。
また、ストッパ部Ｓはジョイント５に設けたが、フレーム２の筒部材に一体に形成しても良い。
【実施例２】
【００２１】
図５は第２実施例で、背負い具の全体図である。
【００２２】
第２実施例は、フレーム２が収納部１５を囲うように形成された上方フレーム１３と、この上方フレーム１３と底部フレーム１２を連結する後方フレーム１４を有し、これらフレームの中に収納部１５が納められた背負い具で、背当てフレーム１０の縦フレーム１１は、上端にハンドル状の支持フレームがなく、また、キャリーカート用の車輪を有しておらず、背当てフレーム１０の上端にはショルダーベルト７の上端を取り付けた支持フレーム（上方支持フレーム）１０ｃが設けられ、それより下方には、ショルダーベルト７の下端を取り付けたジョイント５を介して支持フレーム（下方支持フレーム）１０ｄが設けられている。
また、ジョイント５には、第１実施例と同様に枠状部５ｃからなるストッパＳが設けられ、ショルダーベルト７の下端の左右の移動が規制されている。
【００２３】
収納部１５は、上方に開口した収納部本体１５ａとその開口を閉塞する蓋体１５ｂを有し、蓋体１５ｂは、着脱自在に止着するベルベット式ファスナの留め具１５ｅと収納部本体１５ａ側のベルベット式ファスナの留め具１５ｄを止着することで閉塞状態が維持できる。
フレーム２の中に収納部１５が納められ収納部１５の止め紐１５ｃを周囲のフレームに結びつけることで位置が移動することを防止し、安定して運搬できるようになっている。
他の構成は前記第１実施例と略同一であり、このような形態の背負い具においても第１実施例と同様の作用効果が得られる。
他の構成は前記第１実施例と略同一である。
【産業上の利用可能性】
【００２４】
本発明は、主としてフレームを有する背負い具全般に用いることができる。
【図面の簡単な説明】
【００２５】
【図１】第１実施例で、背負い具の全体図である。
【図２】同ジョイントの拡大図である。
【図３】同ジョイントの縦断面図（Ａ−Ａ部分断面図）である。
【図４】同ジョイントの横断面図（Ｂ−Ｂ部分断面図）である。
【図５】第２実施例で、背負い具の全体図である。
【符号の説明】
【００２６】
１  背負い具
２、フレーム
３、１０  背当てフレーム
３ｃ、３ｄ支持フレーム
４、１２  底部フレーム
５  ジョイント
６、１５  収納部
７  ショルダーベルト
Ｓ  ストッパ部
【図１】
2005124851.tif 000003
【図２】
2005124851.tif 000004
【図３】
2005124851.tif 000005
【図４】
2005124851.tif 000006
【図５】
2005124851.tif 000007